(57)【要約】【課題】管理するべき遊技機構成部材に対して、単体で移動しても確実に予め設定したエリア内での所在の有無を認識でき、不正改造や不法投棄等による正規の流通ルートの逸脱を防止する。【解決手段】遊技機を構成する部材の所在の管理を行うべく、各部材に無線タグ１１４を貼付け、管理サーバー１０２からの特定電波の送信に対して、各無線タグ１１４からの自身のＩＤによる応答の有無によって所在の確認を行う。不正に持ち去られたＲＯＭ１１２の不存在を認識することができる。他の管理サーバー１０２へ追跡指示を依頼することで、持ち去られた経路を確認することができる。点在する管理サーバー１０２により所在を管理することで、確認することができ、例えば、不法投棄等をいち早く察知することができる。【選択図】        図７
2005034222.tif 000002
【特許請求の範囲】
【請求項１】
遊技機構成部材の所在を認識し、管理するための遊技機構成部材の管理システムであって、
管理施設内に設けられ、前記遊技構成部材の所在を管理する管理手段と、
管理するべき遊技機構成部材に取り付けられ、前記管理手段との無線交信が可能な交信手段を備えた交信端末と、を有し、
前記管理手段では、前記交信状態に基づいて、前記遊技機構成部材が無線交信可能範囲内に存在するか否かを判断することを特徴とする遊技構成部材の管理システム。
【請求項２】
前記管理施設が、遊技機構成部材製造元から遊技店までの搬送経路、前記遊技店から遊技機構成部材の廃棄又は回収先への搬送路に沿って点在されており、各管理施設の管理手段による管理情報を集約することで、流通・搬送ルートの適否を判断することを特徴とする請求項１記載の遊技構成部材の管理システム。
【請求項３】
遊技機構成部材の所在を認識し、管理するための遊技機構成部材の管理システムであって、
前記遊技機構成部材のそれぞれに種類毎に設けられた識別符号を一括管理すると共に、特定の電波の送信に応答して受信する応答信号に基づいて識別符号を解析し、照合することで、当該送信する電波の届くエリア内に前記遊技機構成部材が存在することを認識する管理サーバーと、
管理するべき遊技機構成部材のそれぞれに取り付けられ、電源が不要で、前記管理サーバーから送信される特定の電波を受信し、当該受信に対して前記応答信号を送信する無線タグと、で構成されたことを特徴とする遊技機構成部材の管理システム。
【請求項４】
前記無線タグが、アンテナとＩＣチップとを有し、
前記ＩＣチップが、管理するべき遊技機構成部材のそれぞれに付与された種類別の識別符号を記憶する記憶手段と、特定の電波を受信する受信手段と、前記受信手段で特定の電波を受信した場合に前記記憶手段に記憶されている識別符号を読み出す読出手段と、前記読出手段で読み出した識別符号を前記応答信号として送信する送信手段と、で構成されていることを特徴とする請求項３記載の遊技機構成部材の管理システム。
【請求項５】
前記管理サーバーが複数点在され、それぞれの管理サーバー間がネットワーク接続されることにより、前記遊技機構成部材の存在を認識する管理サーバー間の移行によって、前記遊技機構成部材の移動状態を認識することを特徴とする請求項３又は請求項４記載の遊技機構成部材の管理システム。
【発明の詳細な説明】
【０００１】
【発明の属する技術分野】
本発明は、遊技機構成部材の所在を認識し、管理するための遊技機構成部材の管理システムに関するものである。
【０００２】
【従来の技術】
従来より、遊技機の不正改造防止や機歴管理に関連する技術として、▲１▼カシメ基板と、▲２▼証紙貼付等がある。以下、▲１▼及び▲２▼のそれぞれについて詳細に説明する。
【０００３】
▲１▼カシメ基板
遊技機の裏面側には、制御回路基板を収容する複数の基板ケースが配設されており、特に、遊技の進行を制御する主制御基板を収容する基板ケースにおいては、上ケースと下ケースとに分割されており、この上ケースと下ケースとは特殊螺子で固定されると共に、上ケースと下ケースに跨るように封止リブが設けられている。
【０００４】
特殊螺子は、締め付けは可能であるが、緩めることができない構造となっており、一旦上ケースと下ケースとを固定すると、螺子の螺合操作では、上ケースと下ケースとの分離は不可能となる。
【０００５】
ここで、正規に分離する場合には、特殊螺子はそのままの状態で、封止リブを切断することで、螺合状態の特殊螺子による固定を解除するようにしている。
【０００６】
このため、制御回路基板に不正改造（ＲＯＭの交換や、電子部品の付加等）を施そうとしても、カシメ基板の上カバーと下カバーとの分離痕跡が残り、目視によって確実に見分けることができる。
【０００７】
なお、上ケースと下ケースとの間には、封緘紙が貼付けられており、この封緘紙が破られていることによっても、不正の開放を確認することが可能である。
【０００８】
▲２▼証紙貼付
証紙は、不正改造され易い遊技機構成部材（管理機器本体、ゲージ盤、基板ケース等）に貼付けられ、当該遊技機構成部材の真贋を証紙によって目視で認識するために設けられている。
【０００９】
証紙には、管理番号が印刷され、この管理番号によって流通、製造関連データ等が把握されるようになっている。また、この管理番号が付与された証紙は、前述の封緘紙としても適用可能である。
【００１０】
ここで、上記▲１▼カシメ基板においては、基板ケース自体の偽造（併せて封緘紙の偽造）により、不正改造が迅速に発見できない場合があり、完璧な不正改造防止とは言いがたい。
【００１１】
また、上記▲２▼の証紙貼付においては、遊技機の廃棄に際し、液晶表示装置等、他分野においてリサイクルやリユースが可能な遊技機構成部材が遊技機毎に中古取引業者に引き渡されるため、正規の流通ルートから外れる場合があり、この場合、管理が行き届かないという問題点がある。
【００１２】
なお、参考として、特許文献１には、ＧＰＳ通信システムやＰＨＳ電話回線網等を利用して、遊技機の位置情報を取り込み、所定の地域から外れた場合に、遊技が出来ないようなすることが開示されている。これは、地域、場所によって遊技機に関するルール（条例等）が異なるため、正常な流通ルートから逸脱した場合には、不正行為につながるとして遊技そのものに制限を加えるものである。
【００１３】
【特許文献１】
特開２００２−２８８０６３公報
【００１４】
【発明が解決しようとする課題】
しかしながら、上記特許文献１の技術は、遊技のためのルールに係るものであり、不正改造や不法投棄を防止するためのものではない。また、ＧＰＳやＰＨＳ等による所在位置管理では、基本的に電源を必要とするものであるため、遊技機構成部材単位での設備投資に採算が合わず、管理する対象が限られるという欠点がある。例えば、上記基板ケースが不正改造され、単体で移動（偽造品と交換されて廃棄するために持ち去る行為等）する場合、製造直後から回収するまでの長期間の電源確保は難しい。
【００１５】
本発明は上記事実を考慮し、管理するべき遊技機構成部材に対して、単体で移動しても確実に予め設定したエリア内での所在の有無を認識でき、不正改造や不法投棄等による正規の流通ルートの逸脱を防止することができる遊技機構成部材の管理システムを得ることが目的である。
【００１６】
【課題を解決するための手段】
請求項１に記載の発明は、遊技機構成部材の所在を認識し、管理するための遊技機構成部材の管理システムであって、固定された管理施設内に設けられ、前記遊技構成部材の所在を管理する管理手段と、管理するべき遊技機構成部材に取り付けられ、前記管理手段との無線交信が可能な交信手段を備えた交信端末と、を有し、前記管理手段では、前記交信状態に基づいて、前記遊技機構成部材が無線交信可能範囲内に存在するか否かを判断することを特徴としている。
【００１７】
請求項１に記載の発明によれば、遊技機構成部材は、管理手段と無線交信可能な交信手段を有しており、管理手段では、この交信手段によって遊技機構成部材が無線交信可能範囲内に存在するか否かを認識することができる。これにより、管理手段では、遊技構成部材が、意に反して無線交信可能範囲外に移動したことを把握することができ、例えば、不正改造や不正投棄等、正規の流通ルートからの逸脱を迅速に認識することができる。
【００１８】
請求項２に記載の発明は、前記請求項１に記載の発明において、前記管理施設が、遊技機構成部材製造元から遊技店までの搬送経路、前記遊技店から遊技機構成部材の廃棄又は回収先への搬送路に沿って点在されており、各管理施設の管理手段による管理情報を集約することで、流通・搬送ルートの適否を判断することを特徴としている。
【００１９】
請求項２に記載の発明によれば、正規の流通・搬送ルートに沿って、管理施設を点在させることで、管理手段で管理している管理情報を集約し、正規の流通・搬送ルートで流通しているか否かを判断することができる。
【００２０】
請求項３に記載の発明は、遊技機構成部材の所在を認識し、管理するための遊技機構成部材の管理システムであって、前記遊技機構成部材のそれぞれに種類毎に設けられた識別符号を一括管理すると共に、特定の電波の送信に応答して受信する応答信号に基づいて識別符号を解析し、照合することで、当該送信する電波の届くエリア内に前記遊技機構成部材が存在することを認識する管理サーバーと、
管理するべき遊技機構成部材のそれぞれに取り付けられ、電源が不要で、前記管理サーバーから送信される特定の電波を受信し、当該受信に対して前記応答信号を送信する無線タグと、で構成されたことを特徴としている。
【００２１】
請求項３に記載の発明によれば、管理サーバーでは、遊技構成部材に設けられた識別符号を一括管理しており、特定の電波を送信すると、無線タグがこの特定の電波が届く範囲内に存在する場合、この特定の電波を受信し、応答信号を送信する。この応答信号を受信した管理サーバー側では、受信した電波（応答信号）に基づいて識別符号を解析し、照合する。
【００２２】
管理サーバーでは、応答信号が受信されない遊技機構成部材の識別符号を認識することで、意に反して無線交信可能範囲外に移動したことを把握することができ、例えば、不正改造や不正投棄等、正規の流通ルートからの逸脱を迅速に認識することができる。
【００２３】
また、無線タグは電源が不要であるため、半永久的に該当する遊技機構成部材の所在の有無を判別することができ、特に、不法投棄等、製造から比較的長期間経過した後でも、管理が可能となる。
【００２４】
請求項４に記載の発明は、前記請求項３に記載の発明において、前記無線タグが、アンテナとＩＣチップとを有し、前記ＩＣチップが、管理するべき遊技機構成部材のそれぞれに付与された種類別の識別符号を記憶する記憶手段と、特定の電波を受信する受信手段と、前記受信手段で特定の電波を受信した場合に前記記憶手段に記憶されている識別符号を読み出す読出手段と、前記読出手段で読み出した識別符号を前記応答信号として送信する送信手段と、で構成されていることを特徴としている。
【００２５】
請求項４に記載の発明によれば、無線タグはアンテナとＩＣチップを有しており、受信手段は、アンテナを介して管理サーバーからの特定の電波を受信する。
【００２６】
受信すると、読出手段によって、記憶手段に記憶された自身の識別符号を読出す。読み出された識別符号は、送信手段によって変調され、アンテナを介して送信される。
【００２７】
このような無線タグは、安価で市販されているが、その用途は一般的にはゲートの通過状態を認識する比較的狭いエリアでの利用に限られており、比較的広い範囲で把握するという概念はなく、多量の遊技機構成部材の所在を把握し、不正改造や不正流通の管理を行うのに有用となる。
【００２８】
請求項５に記載の発明は、前記請求項３又は請求項４に記載の発明において、前記管理サーバーが複数点在され、それぞれの管理サーバー間がネットワーク接続されることにより、前記遊技機構成部材の存在を認識する管理サーバー間の移行によって、前記遊技機構成部材の移動状態を認識することを特徴としている。
【００２９】
請求項５に記載の発明によれば、複数の管理サーバーをネットワーク接続し、当該管理サーバーを点在させることで、それぞれの無線交信可能範囲での管理を行うことにより、例えば管理サーバー間を移動した場合、所在を把握する管理サーバーが移行することで、遊技機構成部材の移動状態を認識することができる。
【００３０】
【発明の実施の形態】
図１には、本実施の形態に係る遊技機を構成する部材の所在を把握するための管理システム１００が示されている。
【００３１】
管理システム１００の主構成となる管理サーバー１０２は、管理施設としてのホール１０４内に設置されている。ホール１０４には、複数の遊技機によって島１０６が形成されている。
【００３２】
なお、ここでは、遊技機としてパチンコ機１０を示しているが、パチスロ機やパロット（登録商標）機等であってもよい。また、複数種類の遊技機が混在していてもよい。
【００３３】
なお、図２は、ホール１０４の外観であり、屋上には、前記管理サーバー１０２に接続されたアンテナ１０８が立設されている。
【００３４】
パチンコ機１０は、製造メーカーから、中間取引業者等を介して、各ホール１０４へ納品され、所定の期間が過ぎると、中間取引業者等を介して、廃棄業者やリサイクル業者へと引き渡されるのが、正規の搬送ルートとなっている。
【００３５】
この場合、パチンコ機１０全体として搬送される場合もあるし、部分的に遊技機構成部材（以下、単に部材という）が取り外されて、廃棄、回収或いはリサイクルされる場合もあり得る。
【００３６】
本実施の形態の管理システム１０２では、このような遊技機の流通ルートの管理を行うと共に、ホール１０４に設置された遊技機の不正改造（例えば、ＲＯＭの交換）の管理も行っている。
【００３７】
まず、遊技機としてのパチンコ機１０の構成について説明する。
【００３８】
図３に示される如く、パチンコ機１０は、外枠１２を備え、外枠１２の前面には、窓部を有する額縁状の内枠１４の一側部（図１の左辺部）が開閉可能に取付けられている。
【００３９】
内枠１４には、複数の表示灯６１やスピーカ６３が設けられている。また、内枠１４の中央には、遊技盤３２が露出される窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００４０】
なお、遊技盤３２の中央には、液晶表示装置３４（図４参照）が設けられている。また、遊技盤３２の裏面側には、主制御回路基板を含む複数の回路基板が所定の回路基板ケース（図４では、主制御回路基板ケース１１０のみ図示）に収容された状態で配設されると共に、遊技を進行するための電気部品や機械部品が組み付けられている。
【００４１】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００４２】
一体皿２６は、その一側部（図１の左辺部）が内枠１４に対して開閉可能に取付けられている。一体皿２６の前面には、左側下部に灰皿２８が配置され、右側下部には発射装置（図示省略）から発射する打球の飛距離を調整するための発射ハンドル３０が設けられている。
【００４３】
また内枠１４の窓部には、遊技盤載置台に載せて交換可能とされた遊技盤３２が窓部に対応して設置されている。
【００４４】
ここで、図４に示される如く、パチンコ機１０において、当該パチンコ機１０を構成する多数の部材の内、予め定めた部材（ここでは、遊技盤３２、主制御回路基板ケース１１０、液晶表示装置３４、並びに前記主制御回路基板における遊技の進行を司るデータやプログラムが記憶されているＲＯＭ１１２）に、無線タグ１１４を貼り付けている。
【００４５】
無線タグ１１４は、渦巻き状のアンテナ１１６とＩＣチップ１１８とが埋め込まれたシール状のシート体である。
【００４６】
図１に示される如く、管理サーバー１０２では、アンテナ１０８を介して特定の電波を送信している。
【００４７】
このため、前記電波の届く範囲に、無線タグ１１４が存在すると、この電波を無線タグ１１４のアンテナ１１６で受信し、この電波から電源をとることでＩＣチップ１１８が予め記憶している識別符号（ＩＤ）を応答信号として、前記アンテナを介して送信（通信）する構成となっている。
【００４８】
また、本実施の形態では、図５に示される如く、各ホール１０４に設置されている管理サーバー１０２が、複数のホール間でネットワーク１２０によって接続されている、それぞれの部材所在管理データを互いに共有することができるようになっている。
【００４９】
例えば、図６に示される如く、特定の地域に複数のホール１０４が点在されており、各ホール１０４では、図６の一点鎖線の円で示す電波到達範囲を有している。このそれぞれのホール１０４の電波到達範囲内であれば、何れかのホール１０４の管理サーバー１０２において、無線タグ１１４の所在を認識することができ、これらのデータを共有することで、無線タグ１１４の移動ルートを解析することが可能となっている。
【００５０】
図７（Ａ）及び（Ｂ）には、前記管理サーバー１０２と、無線タグ１１４との交信制御、並びに、他の管理サーバー１０２とのデータ共有管理制御のための制御ブロック図が示されている。
【００５１】
まず、管理サーバー１０２における交信制御に関する制御系について説明する。
【００５２】
図７（Ａ）に示される如く、管理サーバー１０２のアンテナ１０８は、受信部１２２及び送信部１２４に接続されている。
【００５３】
送信部１２４では、送信指示制御部１２６からの送信指示に基づいて、アンテナ１０８を介して特定の電波を送信する。
【００５４】
一方、受信部１２２では、後述する無線タグ１１４が電波の届く範囲内に存在することを条件に、当該無線タグ１１４からの応答信号を受信する。
【００５５】
受信部１２２は、受信データ解析部１２８に接続され、この受信データ解析部１２８では、応答信号に基づいてＩＤを得る。
【００５６】
受信データ解析部１２８で得たＩＤは、ＩＤ照合部１３０へ送出されるようになっている。このＩＤ照合部１３０には、部材所在データベース１３２から読み出したＩＤが入力されており、当該読み出したＩＤと受信したＩＤとの照合を行うようになっている。
【００５７】
照合結果は、合否判定部１３４へ送出され、判定が実行される。基本的には、ＩＤを受信したか否かにより合否が判定されるが、同時に、或いは連続して複数の部材に対応するＩＤを送信したには、目的とするＩＤとの照合によって、合否の判定が実行される。
【００５８】
合否判定部１３４では、送信したＩＤと合致するＩＤの応答があった部材と、合致するＩＤの応答がなかった部材とを分類し、分類結果を報知制御部１３６へ送出する。報知制御部１３６には報知部１３８が接続されており、この報知部１３８では、例えば、図示しない表示部（モニタ等）に表型式で合否結果を表示することで、オペレータは各部材の管理が可能となる。
【００５９】
一方、報知制御部１３６は、ネットワークＩ／Ｆ１４０にも接続されている。このため、前記照合の結果は、別の管理サーバー１０２へ送出されるようになっている。すなわち、合致しなかったＩＤに対して、別の管理サーバー１０２での所在の把握を依頼するべく、追跡指示信号を送出し、合致したＩＤに対して、現在自身のエリアに存在していることを示す確認信号を送出する。
【００６０】
以下、データ共有制御に関する制御系について説明する。
【００６１】
管理サーバー１０２では、他の管理サーバー１０２から送信されてくるネットワークデータをネットワークＩ／Ｆ１４０を介して受け、ネットワークデータ解析部１４２へ送出する。ネットワークデータ解析部１４２では、入力したネットワークデータを解析する。
【００６２】
解析したネットワークデータが、追跡指示信号の場合には、追跡ＩＤ読出部１４４において、追跡するべきＩＤを読み出すと共に、送信部１２４へ特定の電波を送信する指示を出す。
【００６３】
ここで、前記ＩＤ照合部１３０では、この追跡ＩＤ読出部１４４で読み出したＩＤとの照合も行うようになっている。照合の結果は、前述と同様に、報知制御部１３６からネットワークＩ／Ｆ１４０を介して、追跡指示信号の送信元である他の管理サーバー１０２へ確認信号を送出する。
【００６４】
一方、ネットワークデータ解析部１４２での解析結果が確認信号の場合には、所在確認部１４４へ送出され、追跡結果信号に基づく、追跡したＩＤの所在を確認する。確認した所在データは、所在データ更新登録部１４６において、部材所在データベース１３２に更新登録され、履歴として残るようになっている。
【００６５】
これにより、部材所在データベース１３２には、部材のエリア内の搬入から搬出までの経緯が記録されることになる。また、不正に移動した部材の経緯についても記録され、さらに、複数の管理サーバー１０２の経緯を総合すると、移動の経路についても、ある程度把握することができる。
【００６６】
次に、図７（Ｂ）に基づいて、無線タグ１１４における制御ブロック図を説明する。
【００６７】
無線タグ１１４は、前述の如く、アンテナ１１６とＩＣチップ１１８とで構成されている。
【００６８】
アンテナ１１６は、ＩＣチップ１１８の受信部１４８及び送信部１５０に接続されている。
【００６９】
受信部１４８では、管理サーバー１０２からの信号を受信すると、ＩＤ読出部１５２において、予めＩＤメモリ１５４に記憶されている自身の識別符号（ＩＤ）を読出し、送信部１５０へ送出する。
【００７０】
送信部１５０では、当該読み出したＩＤによって変調された応答信号をアンテナを介して送信する。
【００７１】
以下に本実施の形態の作用を説明する。
【００７２】
パチンコ機１０等の遊技機は、製造メーカーによって製造された後、中間業者等を介して、各ホール１０４へ納品される。この場合の流通・搬送ルートは、ある程度決まっている。
【００７３】
また、一度ホール１０４に設置されたパチンコ機１０や、パチンコ機１０を構成する部材は、部品交換等以外では、当該ホール１０４から出ることはない。
【００７４】
パチンコ機１０は、ホール１０４側の方針で、入れ替えを行う場合、中間業者等を介して、廃棄業者やリサイクル業者へ引き取られる。この場合も流通・搬送ルートは、ある程度決まっている。
【００７５】
ここで、本実施の形態では、各ホール１０４に設置された管理サーバー１０２と、管理が必要な部材へ貼り付けた無線タグ１１４との無線交信により、部材の所在の確認を行い、パチンコ機１０等の遊技機における、流通・搬送ルートの経緯、ホール１０４に設置されているときの部材の状態を監視することで、遊技機の不法投棄、盗難、不正改造等の不正行為を迅速に察知すると共に、機歴管理を行っている。
【００７６】
（流通・搬送ルートの経緯）
流津・搬送ルートの経緯を確かめる場合、例えば、複数の管理サーバー１０２の１つをホストサーバーとする。例えば、製造メーカーに設置してもよいし、何れかのホール１０４の管理サーバー１０２であってもよい。
【００７７】
このホストサーバーとして設定した管理サーバー１０２における流通・搬送ルートの経緯把握手順を図８のフローチャートに従い説明する。
【００７８】
ステップ２００では、ネットワーク１２０上の全ての管理サーバー１０２のそれぞれに設けられた部材所在データベース１３２から、履歴データを読出し、集約する。
【００７９】
次のステップ２０２では、集約した履歴データに基づいて、実際の流通・搬送ルートを認識する。
【００８０】
次いでステップ２０４では、前記認識した実際の流通・搬送ルートと、正規の流通・搬送ルートとを照合し、次のステップ２０６で照合の結果、正規のルートであるか否かが判断される。
【００８１】
このステップ２０６で肯定判定された場合には、正規のルートで流通・搬送されていると判断し、このルーチンは終了する。
【００８２】
一方、ステップ２０６で否定判定された場合には、正規ではないルートで流通・搬送されていると判断し、ステップ２０８へ移行して、警告処理を実行し、このルーチンは終了する。
【００８３】
なお、警告処理は、オペレータに正規のルートと合致しないことを報知するのみでよいし、どの時点で正規のルートを逸脱したか等、さらに細かい解析を行うようにしてもよい。
【００８４】
上記流通・搬送ルートを確認することで、特に不法投棄等の監視に有効であり、本来廃棄業者やリサイクル業者等に受け渡されるべき、パチンコ機１０がどのようなルートで不法投棄を行う業者へ渡るのかが解明でき、今後の不法投棄の防止につなげることができる。
【００８５】
（不正行為確認）
次に、不正行為、特に不正改造による部材の移動を把握するための手順を図９及び図１０のフローチャートに従い説明する。
【００８６】
図９は、管理サーバー１０２における管理制御であり、ステップ２１０では、特定電波の送信時期か否かを判断する。例えば、開店時或いは閉店時毎に行ったり、所定時間（２４時間の範囲の所望の時間）毎に行ったり、オペレータの判断による不定期に行ったり（不定期の場合は、送信指示操作等が必要となる）、さまざまな送信時期を設定することができる。
【００８７】
このステップ２１０で否定判定された場合には、ステップ２１２へ移行し、追跡指示があったか否かが判断される。この追跡指示は、ネットワーク接続された他の管理サーバー１０２から送信されてくる信号に基づくものであり、当該送信先の管理サーバー１０２において管理するべき部材が電波の届く範囲から逸脱し、行方を捜すべく、ネットワーク１２０上の管理サーバー１０２での追跡指示を行うためのものである。
【００８８】
このステップ２１２で否定判定された場合には、このルーチンは終了する。すなわち、特定電波の送信時期ではなく、かつ追跡指示がない場合は、管理サーバー１０２を処理を実行しない。
【００８９】
前記ステップ２１０で肯定判定、すなわち、特定の電波の送信時期であると判断された場合には、ステップ２１４へ移行して特定電波の送信を開始する。この特定電波の送信は、所定時間に定められており、ステップ２１６では所定時間が経過したか否かが判断され、肯定判定されると、ステップ２１８へ移行して特定電波の送信を停止する。
【００９０】
この特定電波の送信中に、当該特定電波が届く範囲に、部材（無線タグ１１４）が存在している場合には、この無線タグ１１４から応答信号が返信されてくる（後述の図１０のフローチャート参照）。なお、無線タグ１１４には、個々にＩＤが付与されているため、通常は複数の無線タグ１１４からの応答信号を受信することになる。
【００９１】
次のステップ２２０では、フラグＦがリセット（０）されているか否かが判断される。このフラグＦは、特定電波の送信が送信時期による自身が管理する部材を対象とする場合はリセット（０）とされ、他の管理サーバー１０２からの追跡指示の場合はセット（１）されるものであり、肯定判定された場合には、自身が管理する部材を対象としていると判断され、ステップ２２２へ移行する。
【００９２】
ステップ２２２では、受信した複数のＩＤを順次、部材所在データベース１３２に記憶しているＩＤと照合する。
【００９３】
次のステップ２２４では、前記ステップ２２２で照合できなかったＩＤに対して、他の管理サーバー１０２での追跡指示を依頼するべく、追跡指示信号をネットワーク送信し、次いでステップ２２６で合否の結果を報知し、このルーチンは終了する。
【００９４】
一方、ステップ２１０で否定判定され、ステップ２１２で肯定判定された場合には、ステップ２２８へ移行してフラグＦをセット（１）し、次いでステップ２３０で追跡指示信号から追跡ＩＤを読出し、ステップ２１４へ移行する。
【００９５】
ステップ２１４からステップ２２０までは、上記と同様であるため、説明は省略する。
【００９６】
ステップ２２０において、否定判定されると、追跡指示の依頼があった部材を対象としていると判断され、ステップ２３２へ移行する。
【００９７】
ステップ２３２では、フラグＦをリセット（０）し、次いでステップ２３４へ移行して追跡ＩＤと一致するＩＤが存在するか否かが判断される（追跡ＩＤと受信ＩＤとの照合）。
【００９８】
次のステップ２３６では、前記ステップ２３４での合否（一致又は不一致）を送信先の管理サーバー１０２へネットワーク送信し、このルーチンは終了する。
【００９９】
図１０には、前記無線タグ１１４における応答信号送信制御ルーチンが示されている。
【０１００】
ステップ２４０では、特定電波を受信したか否かが判断され、否定判定された場合には、このルーチンは終了し、無線タグ１１４はなんら起動しない。すなわち、無線タグ１１４は自身が電源を持っておらず、特定電波を受信することで、電源が供給されるため、このステップ２４０は、説明を明瞭とするために制御ステップとして記載したが、当該ステップ２４０の肯定判定によって、はじめてＩＣチップ１１８が起動するものである。
【０１０１】
次のステップ２４２では、ＩＤメモリ１５４から自身のＩＤを読出し、ステップ２４４へ移行して応答信号を送信する。この応答信号は、前記読み出したＩＤに基づいて搬送波が変調される。
【０１０２】
以上説明したように本実施の形態では、点在するホール１０４のそれぞれに管理サーバー１０２を配し、通常は、各ホール１０４に設置されたパチンコ機１０等の遊技機を構成する部材の所在の管理を行うべく、当該部材（主制御回路基板ケース１１０、液晶表示装置３４、遊技盤３２、ＲＯＭ１１２等）に無線タグ１１４を貼付け、管理サーバー１０２からの特定電波の送信に対して、当該電波の届く範囲内に無線タグ１１４が存在している場合には、無線タグ１１４は、特定電波によって電源が供給され、自身のＩＤを応答信号として返信する。管理サーバー１０４では、この応答信号から得られるＩＤと、予め記憶しているＩＤとの照合を行い、所在の確認を行う。これにより、例えば、改造ＲＯＭと交換され、持ち去れた本来のＲＯＭ１１２の不存在を認識することができ、不正改造を迅速に発見することができる。
【０１０３】
また、不存在の無線タグ１１４は、他の管理サーバー１０２へ追跡指示を依頼することで、どのような経路で持ち去られたかを確認することができ、以後の不正行為を未然に防止するための手掛かりとして適用することができる。
【０１０４】
また、パチンコ機１０等の遊技機は、製造メーカーから所定の中間業者等を介してホールへ納入され、所定の期間経過後には、ホール１０４から中間業者等を介して廃棄業者やリサイクル業者へと搬送されるが、この流通・搬送ルートが正規のルートで行われているか否かを、点在する管理サーバー１０２により所在を管理することで、確認することができ、例えば、不法投棄等をいち早く察知することができる。
【０１０５】
なお、本実施の形態では、管理サーバー１０２をホール１０４に点在させたが、電信柱やビルの屋上等、アンテナのみをさらに多数設置することで、何れかの電波が平面的に漏れのないように範囲を形成することができ、上記追跡指示に対する調査や、流通・搬送ルートの解明等をより詳細に行うことができる。
【０１０６】
また、本実施の形態では、管理サーバー１０２と無線タグ１１４とによって遊技機構成部材の所在管理を実行したが、理論的には、ＧＰＳ（グローバル・ポジショニング・システム）通信システムを用いた位置検索や、ＰＨＳ電話回線網を利用した位置検索等も交信端末として適用可能である。但し、遊技機構成部材のそれぞれに電源を必要とする端末を配備するには、現状の技術ではコストアップにつながるため、電源が不要な無線タグ１１４が最適である。
【０１０７】
言い換えれば、ＧＰＳ通信やＰＨＳ電話回線網の概念において、端末の小型化並びに電源不要な構成が開発されれば、本発明の管理システムに適用可能である。
【０１０８】
【発明の効果】
以上説明した如く本発明では、管理するべき遊技機構成部材に対して、単体で移動しても確実に予め設定したエリア内での所在の有無を認識でき、不正改造や不法投棄等による正規の流通ルートの逸脱を防止することができるという優れた効果を有する。
【図面の簡単な説明】
【図１】本実施の形態に係る遊技機構成部材の管理システムの概略図である。
【図２】ホールの外観を示す斜視図である。
【図３】パチンコ機の外観を示す正面図である。
【図４】無線タグの貼付け位置を示すパチンコ機の正面図である。
【図５】複数の管理サーバーがネットワーク化された状態示すブロック図である。
【図６】ホールが点在している地域におＫる特定電波の到達範囲を示す平面図である。
【図７】（Ａ）は管理サーバーの管理制御ブロック図、（Ｂ）は無線タグの制御ブロック図である。
【図８】本実施の形態に係る流通・搬送ルート履歴管理制御を示すフローチャートである。
【図９】本実施の形態に係る管理サーバーによる管理制御を示すフローチャートである。
【図１０】本実施の形態に係る無線タグにおける応答信号送信制御を示すフローチャートである。
【符号の説明】
１０    パチンコ機（遊技機）
３２    遊技盤
３４    液晶表示装置
１００    管理システム
１０２    管理サーバー（管理手段）
１０４    ホール（管理施設）
１０８    アンテナ
１１０    主制御回路基板ケース
１１２    ＲＯＭ
１１４    無線タグ（交信端末）
１１６    アンテナ
１１８    ＩＣチップ
１２０    ネットワーク
１２２    受信部
１２４    送信部
１２６    送信指示制御部
１２８    受信データ解析部
１３０    ＩＤ照合部
１３２    部材所在データベース
１３４    合否判定部
１３６    報知制御部
１３８    報知部
１４０    ネットワークＩ／Ｆ
１４２    ネットワークデータ解析部
１４４    追跡ＩＤ読出部
１４６    所在データ更新登録部
１４８    受信部（受信手段）
１５０    送信部（送信手段）
１５２    ＩＤ読出部（読出手段）
１５４    ＩＤメモリ（記憶手段）
【図１】
2005034222.tif 000003
【図２】
2005034222.tif 000004
【図３】
2005034222.tif 000005
【図４】
2005034222.tif 000006
【図５】
2005034222.tif 000007
【図６】
2005034222.tif 000008
【図７】
2005034222.tif 000009
【図８】
2005034222.tif 000010
【図９】
2005034222.tif 000011
【図１０】
2005034222.tif 000012